(57)【要約】【課題】２つ以上の記録層を有する記録媒体において、未記録領域が大量に残っている記録層が存在するために発生する不都合を防止できるようにする。【解決手段】少なくとも２つ以上の記録層を有する記録媒体に情報を記録する情報記録装置に、前記２つ以上の記録層における未記録領域を検知する未記録領域検知手段と、前記未記録領域検知手段によって得られた未記録領域情報に基づいて未記録領域の最も多い記録層を選択する選択手段と、上記選択手段によって選択された記録層へデータを記録するデータ記録手段とを設け、未記録領域の最も多い記録層、或いはデータ記録済み領域の最も少ない層を選択してデータを記録することができるようにする。【選択図】図１
2008226367.tif 000002
【特許請求の範囲】
【請求項１】
少なくとも２つ以上の記録層を有する記録媒体に情報を記録する情報記録装置であって、
前記２つ以上の記録層における未記録領域を検知する未記録領域検知手段と、
前記未記録領域検知手段によって得られた未記録領域情報に基づいて未記録領域の最も多い記録層を選択する選択手段と、
上記選択手段によって選択された記録層へデータを記録するデータ記録手段とを有することを特徴とする情報記録装置。
【請求項２】
少なくとも２つ以上の記録層を有する記録媒体に情報を記録する情報記録装置であって、
前記２つ以上の記録層におけるデータ記録済み領域を検知する記録済み領域検知手段と、
前記記録済み領域検知手段によって得られたデータ記録済み情報に基づいてデータ記録済み領域の最も少ない層を選択する選択手段と、
上記選択手段によって選択された記録層へデータを記録するデータ記録手段とを有することを特徴とする情報記録装置。
【請求項３】
前記記録する層を選択する選択手段は、装置の使用者からの記録要求前に記録する層を選択することを特徴とする請求項１または２に記載の情報記録装置。
【請求項４】
前記記録する層を選択する選択手段は、装置の使用者からの記録要求後に記録する層を選択することを特徴とする請求項１または２に記載の情報記録装置。
【請求項５】
前記データ記録手段は、撮像装置により生成した撮影開始から撮影終了までの画像データを前記選択手段により選択された記録層に記録することを特徴とする請求項１〜４の何れか１項に記載の情報記録装置。
【請求項６】
少なくとも２つ以上の記録層を有する記録媒体に情報を記録する情報記録方法であって、
前記２つ以上の記録層における未記録領域を検知する未記録領域検知工程と、
前記未記録領域検知工程によって得られた未記録領域情報に基づいて未記録領域の最も多い記録層を選択する選択工程と、
上記選択工程によって選択された記録層へデータを記録するデータ記録工程とを有することを特徴とする情報記録方法。
【請求項７】
少なくとも２つ以上の記録層を有する記録媒体に情報を記録する情報記録方法であって、
前記２つ以上の記録層におけるデータ記録済み領域を検知する記録済み領域検知工程と、
前記記録済み領域検知工程によって得られたデータ記録済み情報に基づいてデータ記録済み領域の最も少ない層を選択する選択工程と、
上記選択工程によって選択された記録層へデータを記録するデータ記録工程とを有することを特徴とする情報記録方法。
【請求項８】
前記記録する層を選択する選択工程は、装置の使用者からの記録要求前に記録する層を選択することを特徴とする請求項６または７に記載の情報記録方法。
【請求項９】
前記記録する層を選択する選択工程は、装置の使用者からの記録要求後に記録する層を選択することを特徴とする請求項６または７に記載の情報記録方法。
【請求項１０】
前記データ記録工程は、撮像装置により生成した撮影開始から撮影終了までの画像データを前記選択工程により選択された記録層に記録することを特徴とする請求項６〜９の何れか１項に記載の情報記録方法。
【請求項１１】
少なくとも２つ以上の記録層を有する記録媒体に情報を記録する工程をコンピュータに実行させるプログラムであって、
前記２つ以上の記録層における未記録領域を検知する未記録領域検知工程と、
前記未記録領域検知工程によって得られた未記録領域情報に基づいて未記録領域の最も多い記録層を選択する選択工程と、
上記選択工程によって選択された記録層へデータを記録するデータ記録工程とをコンピュータに実行させることを特徴とするプログラム。
【請求項１２】
少なくとも２つ以上の記録層を有する記録媒体に情報を記録する工程をコンピュータに実行させるプログラムであって、
前記２つ以上の記録層におけるデータ記録済み領域を検知する記録済み領域検知工程と、
前記記録済み領域検知工程によって得られたデータ記録済み情報に基づいてデータ記録済み領域の最も少ない層を選択する選択工程と、
上記選択工程によって選択された記録層へデータを記録するデータ記録工程とをコンピュータに実行させることを特徴とするプログラム。
【請求項１３】
請求項１１または１２に記載のプログラムを記憶したことを特徴とするコンピュータ読み取り可能な記憶媒体。
【発明の詳細な説明】
【技術分野】
【０００１】
本発明は情報記録装置及び情報記録方法に関し、特に、複数の記録層を有する記録媒体に対してデータを記録する情報記録装置に用いて好適な技術に関する。
【背景技術】
【０００２】
近年、動画データや静止画データ及び音声データ等の記録を可能とするＤＶＤ（デジタルバーサタイルディスク）などの光ディスクを記録媒体とする記録再生装置が広く知られている。さらに、データ量の増加等に伴い、記録媒体の記録容量の増加が求められている中、片面に複数の記録層を形成することにより記録容量を増加させた、多層光ディスクも登場している。
【０００３】
光ディスクの片方の面に少なくとも２つ以上の記録層を有する多層光ディスクについて、２つの記録層を有する２層光ディスクを例にして説明する。まず、２層光ディスクの構成について説明する。
図６のように、符号６０１で示す１層目を「レイヤ０」、符号６０２で示す２層目を「レイヤ１」と呼ぶ。図６で示す２層光ディスクにおいて、パラレルトラックパスとオポジットトラックパスという２つの記録方法が考えられる。
【０００４】
パラレルトラックパスとは、図７（ａ）で示すように、まず、第１の記録層７０１の「レイヤ０」の内周から外周へ矢印７０３のようにデータ記録を行う。そして、「レイヤ０」の記録可能領域がなくなると、第２の記録層７０２の「レイヤ１」へ移行する。「レイヤ１」においても「レイヤ０」と同様にディスクの内周から外周へ、矢印７０４のようにデータ記録を行う。このような記録方法をパラレルトラックパスと呼ぶ。
【０００５】
次に、オポジットトラックパスとは、図７（ｂ）で示すように第１の記録層７０５の「レイヤ０」の内周から外周へ矢印７０７のようにデータ記録を行う。そして、「レイヤ０」の記録可能領域がなくなると、第２の記録層７０６である「レイヤ１」へ記録する層を移行する。「レイヤ１」では、外周から内周へ向けて矢印７０８のようにデータ記録を行う。このような記録方法をオポジットトラックパスと呼ぶ。
【０００６】
次に、ディスクの片方の面に少なくとも２つ以上の記録層を有する多層光ディスクについて、記録／再生時の層移行について説明する。
このような多層光ディスクに対して、単一のピックアップで記録再生を行う場合には、複数の層のそれぞれに対する記録再生動作を行う他に、ある層から別の層へと記録層を移行する動作も必要となる。
【０００７】
特に、映像や音楽などデータの連続記録が必要な場合には、ある層への記録が終了すると、ピックアップから放射される光ビームを、次にデータを記録する層の所定のトラック位置に迅速に移動させる。そして、光ビームの焦点移動を行って、記録動作に再び移行する必要がある。このように、現在アクセスしている層とは異なる層に光スポットを移動させる方法が提案されている（例えば、特許文献１を参照）。
【０００８】
次に、ディスクの片方の面に少なくとも２つ以上の記録層を有する多層光ディスクについて、２つの記録層を有する２層光ディスクを例にして、ファイナライズ処理について説明する。
【０００９】
２層光ディスクを記録媒体とするデジタルビデオカメラにより撮影したデータを、２層光ディスクへ記録する方法を説明する。ここでは、前記パラレルトラックパスを用いて、２層光ディスクへデータを記録する方法を説明する。
【００１０】
図８に、パラレルトラックパスにより実際にデータを記録する場合の例を示す。
まず、第１の記録層８０１の「レイヤ０」へ、内周から外周へデータを記録する。そして、「レイヤ０」の記録領域の最外周までデータを記録して、記録可能容量がなくなると、次に、第２の記録層８０２の「レイヤ１」へデータを記録する。「レイヤ１」では、内周からデータを記録して符号８０３で示したＡ点までデータを記録した状態を図８（ａ）で示している。ここで、該光ディスクへのデータ記録を終えるものとする。
【００１１】
前述のように記録された光ディスクを、他の光ディスク再生装置で再生する場合には、ファイナライズ処理が必要となる。図８（ａ）の状態でファイラナイズ処理を実行する場合には、ファイナライズ処理により、図８（ｂ）のように「レイヤ１」の未記録領域に対してダミーのデータ(Dummy data)８０４が書き込まれる。
【００１２】
図８のように、記録層の記録領域全体にデータが記録されている「レイヤ０」の再生中に、光ディスク再生装置へ何らかの理由により振動が起き、レーザー光が「レイヤ１」に集光してしまうことが考えられる。
【００１３】
ここで、レーザー光が集光した「レイヤ１」の領域が、データの未記録領域であった場合を考える。該領域ではデータが記録されていないために、アドレス情報を取得することができない。よって、レーザー光を「レイヤ０」へ集光させるための制御を行うことができないために、「レイヤ０」において再生の継続が不可能となる問題が生じてしまう。
【００１４】
この問題を回避するために、多層光ディスクでは、各層のデータが記録されている領域を合わせる必要がある。図８のように、「レイヤ０」は記録領域全体にデータが記録されているのに対して、「レイヤ１」では未記録領域が残っている状態の場合には、ファイナライズ処理により、未記録領域にダミーデータを書き込むようにする。このようにすることにより、ＤＶＤ−ＲＯＭとの互換性をとることができるようにして、他の光ディスク再生装置での再生を可能としている。
【００１５】
【特許文献１】特開平１０−１４３８７３号公報
【発明の開示】
【発明が解決しようとする課題】
【００１６】
しかしながら、前記ファイナライズ処理において、図８で示すように、「レイヤ１」へのデータ記録領域が少量で、未記録領域が大量に残っている場合には、ファイナライズ処理によりダミーデータを書き込む領域が大きい。このために、該処理に長い時間がかかるという問題が生じる。
【００１７】
また、動画データや音声データなどのように、比較的容量の大きい単一のデータが、複数の層に分散して記録される場合には、光ディスク再生装置の仕様によっては、連続再生を行うことができ、層移行間に一時停止などの不具合が生じる可能性がある。よって、単一データが複数の層へ分散して記録される状態を極力回避する必要がある。
【００１８】
本発明は前述の問題点に鑑み、２つ以上の記録層を有する記録媒体において、未記録領域が大量に残っている記録層が存在するために発生する不都合を防止できるようにすることを目的としている。
【課題を解決するための手段】
【００１９】
本発明の情報記録装置は、少なくとも２つ以上の記録層を有する記録媒体に情報を記録する情報記録装置であって、前記２つ以上の記録層における未記録領域を検知する未記録領域検知手段と、前記未記録領域検知手段によって得られた未記録領域情報に基づいて未記録領域の最も多い記録層を選択する選択手段と、上記選択手段によって選択された記録層へデータを記録するデータ記録手段とを有することを特徴とする。
また、本発明の情報記録装置の他の特徴とするところは、少なくとも２つ以上の記録層を有する記録媒体に情報を記録する情報記録装置であって、前記２つ以上の記録層におけるデータ記録済み領域を検知する記録済み領域検知手段と、前記記録済み領域検知手段によって得られたデータ記録済み情報に基づいてデータ記録済み領域の最も少ない層を選択する選択手段と、上記選択手段によって選択された記録層へデータを記録するデータ記録手段とを有することを特徴とする。
【００２０】
本発明の情報記録方法は、少なくとも２つ以上の記録層を有する記録媒体に情報を記録する情報記録方法であって、前記２つ以上の記録層における未記録領域を検知する未記録領域検知工程と、前記未記録領域検知工程によって得られた未記録領域情報に基づいて未記録領域の最も多い記録層を選択する選択工程と、上記選択工程によって選択された記録層へデータを記録するデータ記録工程とを有することを特徴とする。
また、本発明の情報記録方法の他の特徴とするところは、少なくとも２つ以上の記録層を有する記録媒体に情報を記録する情報記録方法であって、前記２つ以上の記録層におけるデータ記録済み領域を検知する記録済み領域検知工程と、前記記録済み領域検知工程によって得られたデータ記録済み情報に基づいてデータ記録済み領域の最も少ない層を選択する選択工程と、上記選択工程によって選択された記録層へデータを記録するデータ記録工程とを有することを特徴とする。
【００２１】
本発明のプログラムは、少なくとも２つ以上の記録層を有する記録媒体に情報を記録する工程をコンピュータに実行させるプログラムであって、前記２つ以上の記録層における未記録領域を検知する未記録領域検知工程と、前記未記録領域検知工程によって得られた未記録領域情報に基づいて未記録領域の最も多い記録層を選択する選択工程と、上記選択工程によって選択された記録層へデータを記録するデータ記録工程とをコンピュータに実行させることを特徴とする。
また、本発明のプログラムの他の特徴とするところは、少なくとも２つ以上の記録層を有する記録媒体に情報を記録する工程をコンピュータに実行させるプログラムであって、前記２つ以上の記録層におけるデータ記録済み領域を検知する記録済み領域検知工程と、前記記録済み領域検知工程によって得られたデータ記録済み情報に基づいてデータ記録済み領域の最も少ない層を選択する選択工程と、上記選択工程によって選択された記録層へデータを記録するデータ記録工程とをコンピュータに実行させることを特徴とする。
【発明の効果】
【００２２】
本発明によれば、少なくとも２つ以上の記録層を有する記録媒体に情報を記録する際に、前記２つ以上の記録層における未記録領域を検知する。そして、未記録領域の最も多い記録層、或いはデータ記録済み領域の最も少ない層を選択してデータを記録するようにしたので、未記録領域が大量に残っている記録層が存在するために発生する不都合を防止できる。これにより、例えば、光ディスクのファイナライズ時間の短縮を実現することができる。また、比較的容量の大きい単一データが、複数の層に分散して記録されることを極力回避することができる。
【発明を実施するための最良の形態】
【００２３】
（第１の実施の形態）
本実施形態では、ディスクの片方の面に少なくとも２つ以上の記録層を有する多層光ディスクとして、２つの記録層を有する２層のＤＶＤを例にして説明する。
図１は、実施形態を実施する光ディスク記録装置を備えたデジタルビデオカメラ（撮像装置）の構成例を示す。まず、デジタルビデオカメラにより動画の撮影／記録を行う際には、マイク１０１により音声を取り込み、撮像部１００で映像を取り込む。すなわち、本実施形態においては、撮像装置により生成した、撮影開始から撮影終了までの画像データを記録する例を説明する。
【００２４】
撮像部１００では、レンズユニット、ＣＣＤ、Ａ／Ｄ変換器などを有し、被写体像を取り込みデジタル化されたデータは、画像処理部１０２で補正され、符号化／復号化処理部１０３へ送られる。
【００２５】
また、マイク１０１で取り込まれた音声データについても、Ａ／Ｄ変換によりデジタル化されたデータが、符号化／復号化処理部１０３へ送られる。符号化／復号化処理部１０３では、取り込んだ音声及び映像データを符号化して、メモリバス１１２を経由してメモリ１０４へ書き込む。
【００２６】
動画像の圧縮方式としてはＭＰＥＧ２（Moving Picture Experts Group）などが挙げられる。記録再生制御部１０５では、メモリ１０４からデータを読み出して、記録再生制御部１０５への記録を行う。これにより記録時の一連の処理を行う。
【００２７】
また、ＣＰＵバス１１３を経由して、ＣＰＵ１１０によりこれら全体の処理を制御する。また、操作入力部１１１において、使用者によるデジタルビデオカメラ本体の操作に応じた処理を行う。
【００２８】
次に、動画データの再生時の処理を説明する。再生時には、記録再生制御部１０５において、光ディスク記録媒体１０６より読み出したデータを、メモリバス１１２経由でメモリ１０４へデータを書き込む。
【００２９】
次に、符号化／復号化処理部１０３により、メモリ１０４からのデータを復号化して、音声データは、スピーカ１０８へ転送して、再生する。映像データについては、ＣＰＵバス１１３経由で表示制御部１０９へ転送されて、液晶パネル１０７などの表示部に再生される。これにより、光ディスク記録装置を備えたデジタルビデオカメラの構成例とする。
【００３０】
次に、実施形態を用いたデジタルビデオカメラによる２層ＤＶＤへの記録手順を説明する。なお、本実施形態では、２層ＤＶＤ１０６の各記録層に対し、それぞれ内周側から連続してデータを記録していく。
まず、図２のステップＳ２０１よりデジタルビデオカメラ（撮影装置）の電源を入れる。次に、ステップＳ２０２において電源ＯＦＦか否かを検知する。ステップＳ２０２において電源ＯＦＦが検知された場合には記録終了となる。
【００３１】
ステップＳ２０２の検知の結果、電源ＯＦＦが検知され無かった場合には、次に、ステップＳ２０３に進み、デジタルビデオカメラの録画ボタンが押されるなど、装置の使用者からの記録要求があったか否かを検出する。
【００３２】
ステップＳ２０３の検出の結果、記録要求があった場合には、次のステップＳ２０４へ移行する。ステップＳ２０３の検出の結果、記録要求がなかった場合にはステップＳ２０２に戻り、電源ＯＦＦ検出及び記録要求の検出があるまでステップＳ２０２、ステップＳ２０３を繰り返す。
【００３３】
次のステップＳ２０４では、「レイヤ０」、「レイヤ１」各層の未記録領域のチェックを行う。そして、ステップＳ２０５より各層の未記録領域の比較を行う。ステップＳ２０５の比較の結果、未記録領域が「レイヤ１」の方が多い場合には、ステップＳ２０６に進んで記録層を「レイヤ１」に設定する。
【００３４】
また、ステップＳ２０５における各層の未記録領域の比較の結果、「レイヤ０」の方が未記録領域が多いか、もしくは「レイヤ０」と「レイヤ１」の未記録領域が等しい場合には、ステップＳ２０７に進み、記録層を「レイヤ０」に設定する処理を行う。そして、次にステップＳ２０８に進み、ステップＳ２０６もしくはステップＳ２０７で設定した記録層に撮影データを記録する。
【００３５】
次に、ステップＳ２０９では、記録停止ボタンが押されたか否かを判断する。本実施形態においては、ＤＶＤの記録容量がなくなった場合などにより、記録が停止したかどうかを監視しており、記録停止するまでは、ステップＳ２０９からステップＳ２０８に戻り、ステップＳ２０８より撮影データの記録を続ける。すなわち、本実施形態においては、撮影開始から撮影終了までの画像データを記録する。一方、ステップＳ２０９の判断の結果、記録停止であった場合には、ステップＳ２０２へ再び戻り、電源ＯＦＦもしくは再度記録要求があるまで待機する。
【００３６】
以上、図２を用いて実施形態により処理手順を前記に説明した。しかし、前記処理手順では、録画ボタンが押されてから（装置の使用者からの記録要求後）記録層を設定しているために、記録要求から、実際に記録が開始されるまでに無視できない処理時間が掛かってしまうことが想定される。そこで、装置の使用者からの記録要求前に記録層を設定するようにした第２の処理手順を次に説明する。
【００３７】
図３のステップＳ３０１において、デジタルビデオカメラの電源が入れられると、次に、ステップＳ３０２に進んで「レイヤ０」、「レイヤ１」各層の未記録領域のチェックを行う。
【００３８】
次に、ステップＳ３０３において、「レイヤ０」、「レイヤ１」の未記録領域の比較を行い、「レイヤ１」の方が未記録領域が多い場合には、ステップＳ３０４より記録層を「レイヤ１」に設定する。
【００３９】
また、ステップＳ３０３の比較の結果、「レイヤ０」の方が未記録領域が多い場合、もしくは「レイヤ０」と「レイヤ１」の未記録領域が等しい場合には、ステップＳ３０５に進んで「レイヤ０」を記録層として設定する。
【００４０】
前述のようにして記録層を設定したところで、次にステップＳ３０６において電源ＯＦＦか否かを判断する。この判断の結果、電源ＯＦＦと判断される場合には、処理の終了とする。また、ステップＳ３０６の判断の結果、電源ＯＦＦが検知されなかった場合にはステップＳ３０７に進む。
【００４１】
ステップＳ３０７においては、記録要求の有無を判断する。この判断の結果、記録要求が検知された場合には、次のステップＳ３０８へ移行する。また、ステップＳ３０７の判断の結果、記録要求が検知されなかった場合にはステップＳ３０６に戻り、ステップＳ３０６及びステップＳ３０７を繰り返し行う。
【００４２】
ステップＳ３０８では、ステップＳ３０４、もしくはステップＳ３０５で設定した記録層に撮影データの記録を行う。次に、ステップＳ３０９に進み、記録停止を検知したか否かを判断する。本実施形態においては記録停止を検知しており、記録停止が検知されるまでは、ステップＳ３０９からステップＳ３０８に戻り、撮影データの記録を続ける。
【００４３】
そして、ステップＳ３０９で記録停止が検知された場合には、ステップＳ３０２へ戻り、各層の未記録領域を再度チェックして、記録層の設定後、電源ＯＦＦもしくは記録要求があるまで待機する。前記処理手順では、各層の未記録領域を検知して、未記録領域の多い層を選択する方法（未記録領域検知方法）を説明したが、各層のデータ記録済み領域を検知して未記録領域情報を取得し、データ記録済み領域の少ない層を選択する方法も考えられる。
【００４４】
次に、前記処理手順により、実際の多層光ディスクに対して、どのようにデータが記録されるかということを、片面２層のＤＶＤを例に説明する。ここでは、「レイヤ０」、「レイヤ１」の各層に対して、内周よりデータを記録するものとする。なお、図４の４０１は「レイヤ０」、４０２は「レイヤ１」を示している。
【００４５】
まず、図４（ａ）では完全に未記録な状態のＤＶＤを示している。ここで、１つ目のデータ（１）を記録する場合に、図４（ａ）では、「レイヤ０」、「レイヤ１」ともにデータが記録されておらず、「レイヤ１」の方が未記録領域が多いという条件を満たさないために、「レイヤ０」へデータが記録される。１つ目のデータ（１）を記録した後のＤＶＤの状態を図４（ｂ）に示す。
【００４６】
次に、２つ目のデータ（２）を記録する場合を考える。図４（ｂ）の状態では、「レイヤ０」に１つめのデータ（１）が記録されており、現段階での未記録領域は「レイヤ１」の方が多い。このために、２つ目のデータ（２）は「レイヤ１」へ記録される。２つ目のデータ（２）が記録された後の状態を図４(c)に示す。
【００４７】
同様に、３つ目のデータ（３）を記録する場合に、図４(c)では「レイヤ０」の未記録領域の方が多いために、３つ目のデータ（３）は「レイヤ０」へ記録される。記録後の状態を図４(d)に示す。同様に４つ目のデータ（４）、５つ目のデータ（５）を記録した後の状態をそれぞれ図４(e)、図４(f)に示す。前記のように実施形態では、記録時に各層の未記録領域をチェックして、未記録領域の最も多い記録層を選択して記録を行う。
【００４８】
次に、図４(f)で記録を終えて、この状態でファイナライズを行う場合について説明する。片面２層のＤＶＤにおいてＤＶＤ−ＲＯＭとの互換性をとるために、各層のデータが記録されている領域を合わせる必要がある。図４(f)の状態でファイナライズ処理を行う場合に、データを書き込む必要がある領域は図５（ａ）の５０１の領域となる。実際にファイナライズ後の状態を図５（ｂ）に示す。図５（ｂ）の５０２の領域がファイナライズの際にダミーデータが書き込まれた領域となる。
【００４９】
前述したように、本実施形態の処理方法を用いることにより、図８を用いて説明した前記パラレルトラックパスによる記録時のファイナライズ処理と比較して、実施形態では未記録領域の多い方へ随時記録層を設定して記録を行うことになる。これにより、ファイナライズ時にダミーデータを書き込む必要のある領域が減少する可能性が高くなる。
【００５０】
また、データを書き込む領域が減少することからファイナライズ時間の短縮を実現することができる。このことから使用者のファイナライズ待ちの時間を短縮することが可能となる。また、付随する効果として、実施形態を用いることにより、未記録領域の多い層から記録を行うので、層をまたいで記録する可能性を低減させることができる。
【００５１】
次に、実施形態によりデータが記録された２層ＤＶＤについて、再生時の処理について説明する。再生時のデータ再生順については、データ記録時に各データの情報をディスクの管理情報に記録しておくことにより、データの記録されている層に関係なく、データの記録順に再生することが可能となる。
【００５２】
また、別の再生順序として、「レイヤ０」及び「レイヤ１」のどちらかの層のデータを記録順に再生して、その後もう一方の層のデータを記録順に再生することも可能とする。
同様に、各データの代表画像を表示するサムネイル画像表示においても、記録層に関係なく、記録順に表示することを可能とする。また、各層毎に記録順に表示させることも可能である。
【００５３】
（本発明に係る他の実施の形態）
前述した本発明の実施の形態における情報記録装置を構成する各手段、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００５４】
また、本発明は、例えば、システム、装置、方法、プログラムもしくは記憶媒体等としての実施の形態も可能であり、具体的には、複数の機器から構成されるシステムに適用してもよいし、また、一つの機器からなる装置に適用してもよい。
【００５５】
なお、本発明は、前述した実施の形態の機能を実現するソフトウェアのプログラム（実施の形態では図２及び図３に示すフローチャートに対応したプログラム）を、システムあるいは装置に直接、あるいは遠隔から供給する。そして、そのシステムあるいは装置のコンピュータが前記供給されたプログラムコードを読み出して実行することによっても達成される場合を含む。
【００５６】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００５７】
その場合、プログラムの機能を有していれば、オブジェクトコード、インタプリタにより実行されるプログラム、ＯＳに供給するスクリプトデータ等の形態であってもよい。
【００５８】
プログラムを供給するための記録媒体としては種々の記録媒体を使用することができる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００５９】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記録媒体にダウンロードすることによっても供給できる。
【００６０】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００６１】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせル。そして、その鍵情報を使用することにより暗号化されたプログラムを実行してコンピュータにインストールさせて実現することも可能である。
【００６２】
また、コンピュータが、読み出したプログラムを実行することによって、前述した実施の形態の機能が実現される他、コンピュータ上で稼動しているＯＳなどが、実際の処理の一部または全部を行うことによっても前述した実施の形態の機能が実現され得る。
【００６３】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施の形態の機能が実現される。
【００６４】
さらに、記憶媒体から読み出されたプログラムが、コンピュータに挿入された機能拡張ボードやコンピュータに接続された機能拡張ユニットに備わるメモリに書き込まれる。そして、その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００６５】
【図１】本発明の実施形態を示し、光ディスク記録装置を備えたデジタルビデオカメラの構成例を説明するブロック図である。
【図２】本発明の実施形態を示し、データ記録処理手順の一例を示すフローチャートである。
【図３】本発明の実施形態を示し、データ記録処理手順の他の例を示すフローチャートである。
【図４】本発明の実施形態を示し、２層ＤＶＤへのデータ記録時の内部データの模式図である。
【図５】本発明の実施形態を示し、２層ＤＶＤのファイナライズ処理の前後におけるデータの記録状態を模式的に示した図である。
【図６】２層光ディスクの記録層を模式的に示した図である。
【図７】２層光ディスクへの記録方法を説明する図である。
【図８】従来の２層光ディスクへの記録方法とファイナライズ処理の前後におけるデータの記録状態を模式的に示した図である。
【符号の説明】
【００６６】
１００  撮像部
１０１  マイク
１０２  画像処理部
１０３  符号化／復号化処理部
１０４  メモリ
１０５  記録再生制御部
１０６  光ディスク
１０７  表示部
１０８  スピーカ
１０９  表示制御部
１１０  ＣＰＵ
１１１  操作入力部
１１２  メモリバス
１１３  ＣＰＵバス
【図１】
2008226367.tif 000003
【図２】
2008226367.tif 000004
【図３】
2008226367.tif 000005
【図４】
2008226367.tif 000006
【図５】
2008226367.tif 000007
【図６】
2008226367.tif 000008
【図７】
2008226367.tif 000009
【図８】
2008226367.tif 000010